(57)【要約】      （修正有）【課題】多数本の旗掲揚ポールを、高さを揃えて掲揚することを可能にすべく、旗掲揚ポール長を取り揃えることが可能な旗掲揚ポールを提供する。【解決手段】内側ポールと外側ポールからなる旗掲揚ポールにおいて、外側ポールが中空パイプであり、内側ポールが外側ポール内をスライドすることによって伸縮自在となっていると共に、内側ポールの表面に目盛りを付し、外側ポールから引き出し長ΔＬを読み取ることができることを特徴とする旗掲揚ポール。【選択図】図１
0003142572.tif 000002
【実用新案登録請求の範囲】
【請求項１】
内側ポールと外側ポールからなる旗掲揚ポールにおいて、外側ポールが中空パイプであり、内側ポールが外側ポール内をスライドすることによって伸縮自在となっていると共に、内側ポールの表面に目盛りを付し、外側ポールから引き出し長ΔＬを読み取ることができることを特徴とする旗掲揚ポール。
【請求項２】
内側ポールの一端の目盛りを０とし、内側ポールを最大引き出した状態で、最大引き出し長をΔＬｍａｘとし、最大目盛りがΔＬｍａｘとなるように、目盛りを付し、外側ポールから引き出し長ΔＬを読み取ることができることを特徴とする請求項１に記載された旗掲揚ポール。
【請求項３】
内側ポールと外側ポールからなる旗掲揚ポールにおいて、外側ポールが中空パイプであり、内側ポールが外側ポール内をスライドすることによって伸縮自在となっていると共に、内側ポールの表面に目盛りを付し、旗掲揚ポール長Ｌを読み取ることができることを特徴とする旗掲揚ポール。
【請求項４】
内側ポールの一端の目盛りを最小限縮んだ状態の旗掲揚ポール長Ｌｍｉｎの目盛りを付し、最大限引き出した状態の長を旗掲揚ポール長をＬｍａｘとし、最大目盛りがＬｍａｘとなるように、目盛りを付し、旗掲揚ポール長Ｌを読み取ることができることを特徴とする請求項３に記載された旗掲揚ポール。
【請求項５】
上記内側ポールの表面に、目盛りを印刷したシールを貼り付けて、目盛りを付すことを特徴とする請求項１〜４の何れかに記載された旗掲揚ポール。
【請求項６】
上記内側ポールの表面に、目盛りを印刷して、目盛りを付すことを特徴とする請求項１〜４の何れかに記載された旗掲揚ポール。
【請求項７】
上記内側ポールの表面に、目盛りを刻み込んで、目盛りを付すことを特徴とする請求項１〜４の何れかに記載された旗掲揚ポール。
【請求項８】
上記シールは透明であることを特徴とする請求項１〜７の何れかに記載された旗掲揚ポール。
【請求項９】
油性印刷又は焼付け印刷により、印刷することを特徴とする請求項１〜８の何れかに記載された旗掲揚ポール。
【請求項１０】
スケールにも転用することができる目盛りを付したことを特徴とする請求項１〜９の何れかに記載された旗掲揚ポール。
【請求項１１】
外側ポールの端部に、ねじ式ストッパーを取り付けたことを特徴とする請求項１〜１０の何れかに記載された旗掲揚ポール。
【請求項１２】
上記内側ポールが外側ポールから抜き出しを防止するための抜き出し防止ストッパーが、外側ポール及び内側ポールに設けてあることを特徴とする請求項１〜１１の何れかに記載された旗掲揚ポール。
【考案の詳細な説明】
【技術分野】
【０００１】
本考案は、旗掲揚ポールに関する。
【０００２】
本考案は、詳しくは、内側ポールと外側ポールからなる旗掲揚ポールに関する。
【０００３】
本考案は、詳しくは、内側ポールと外側ポールからなる旗掲揚ポールにおいて、外側ポールが中空パイプであり、内側ポールが外側ポール内をスライドすることによって伸縮自在となっていると共に、内側ポールの表面に目盛りを付し、外側ポールから引き出し長ΔＬを読み取ることができることを特徴とする旗掲揚ポールに関する。
【０００４】
本考案は、詳しくは、内側ポールと外側ポールからなる旗掲揚ポールにおいて、外側ポールが中空パイプであり、内側ポールが外側ポール内をスライドすることによって伸縮自在となっていると共に、内側ポールの表面に目盛りを付し、旗掲揚ポール長Ｌを読み取ることができることを特徴とする旗掲揚ポールに関する。
【背景技術】
【０００５】
従来の旗掲揚ポールは、予め一定の長さの寸法に取り揃えられた旗掲揚ポールが知られており、旗掲揚ポール長は各種様々であって、旗掲揚ポールは各種多様な品揃えがなされて販売されていた。
【０００６】
しかるに、多数本の、旗掲揚ポールを、高さを揃えて掲揚する必要があったが、従来の旗掲揚ポールには目盛りなど目安になるものがなく、目分量で適当な旗掲揚ポール長の各種様ポールを取り揃えて、複数本並べて掲揚していたが、基準が不明なので高さが揃わないという問題点が指摘されていた。
【０００７】
また、一本一本旗掲揚ポールの寸法を測って、一定長さになるよう旗掲揚ポールの寸法を切り揃えて、しかる後に掲揚を図るという方法も有ったが、労力、費用がかかり、時間的ロスも大きいという問題点が有った。
【０００８】
さらに、従来の旗掲揚ポールは、旗掲揚用にしか用途がなく、旗掲揚用以外にも使用できるという付加価値を有する旗掲揚ポールの提供が望まれているにも拘わらず、旗掲揚用以外にも使用できるという付加価値を有する旗掲揚ポールは従来存在しなかった。
【０００９】
なお、出願人側で、先行技術の調査を行ったが、本願考案に近似する先行技術は発見できなかったので、［特許文献］の記載は省略することとする。
【考案の開示】
【考案が解決しようとする課題】
【００１０】
本願考案が解決しようとする課題（本願考案の課題、あるいは単に課題ともいう。）は、以下の通りである。
○本考案が解決しようとする第１課題（考案の第１課題）
本考案が解決しようとする第１課題は、多数本の旗掲揚ポールを、高さを揃えて掲揚することを可能にすべく、旗掲揚ポール長を取り揃えることが可能な旗掲揚ポールを提供することにある。
○本考案が解決しようとする第２課題（考案の第２課題）
本考案が解決しようとする第２課題は、ワンタッチで旗掲揚ポールの寸法を取り揃えることにより、旗掲揚の労力、費用がかからず、時間的ロスも少ない旗掲揚ポールを提供することにある。
○本考案が解決しようとする第３課題（考案の第３課題）
本考案が解決しようとする第３課題は、旗掲揚用以外にも使用できるという付加価値を有する旗掲揚ポールを提供することにある。
＊＊＊＊＊＊＊＊＊＊＊＊＊＊＊＊＊＊＊＊＊＊＊＊＊＊＊＊＊＊＊＊＊＊＊
【課題を解決するための手段】
【００１１】
本考案者は、上記の従来技術及び市販製品が有する各種の問題点に鑑み、出願人は種種研究し工夫を重ねた結果、当業者が予測困難な顕著な効果を有する本願考案を完成したものである。課題を解決するための手段は、本願の実用新案登録請求の範囲の各請求項に記載の考案であり、その具体的な解決手段は、以下の通りである。
【００１２】
本考案の解釈上の疑義を解消すべく、以下予め用語の説明を行うこととする。
【００１３】
＜用語の説明＞
○旗とは、布や紙などで作り、高く掲げて標識や装飾にするものをいう。
【００１４】
大きさ・形・色・図案は種々で、ふつう一端をさおの端や綱などに結びつける。旗には、幟等が含まれる。
○目盛りとは、内側ポールの表面に付された、長さを示すしるしをいう。
○スケールとは、寸法・度などの目盛りのついている測定器具をいう。本願では、寸法の目盛りのついている測定器具をいう。
○スケール部とは、目盛の付いた部分をいう。
○シールとは、表面に絵や文字を印刷した糊付きの紙をいうが、本願では、表面に目盛りを印刷した糊付きの紙をいう。
○ストッパーとは、内側ポールが外側ポールから抜け落ちたり、内側ポールが外側ポール内をスライドすることを停止させる器具をいう。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
○第１の考案（請求項１に記載の考案）
内側ポールと外側ポールからなる旗掲揚ポールにおいて、外側ポールが中空パイプであり、内側ポールが外側ポール内をスライドすることによって伸縮自在となっていると共に、内側ポールの表面に目盛りを付し、外側ポールから引き出し長ΔＬを読み取ることができることを特徴とする旗掲揚ポールである。
○第２の考案（請求項２に記載の考案）
上記の課題を解決するための第２の考案（請求項２に記載の考案）は、
内側ポールの一端の目盛りを０とし、内側ポールを最大引き出した状態で、最大引き出し長をΔＬｍａｘとし、最大目盛りがΔＬｍａｘとなるように、目盛りを付し、外側ポールから引き出し長ΔＬを読み取ることができることを特徴とする請求項１に記載された旗掲揚ポールである。
○第３の考案（請求項３に記載の考案）
上記の課題を解決するための第３の考案（請求項３に記載の考案）は、
内側ポールと外側ポールからなる旗掲揚ポールにおいて、外側ポールが中空パイプであり、内側ポールが外側ポール内をスライドすることによって伸縮自在となっていると共に、内側ポールの表面に目盛りを付し、旗掲揚ポール長Ｌを読み取ることができることを特徴とする旗掲揚ポールである。
○第４の考案（請求項４に記載の考案）
上記の課題を解決するための第４の考案（請求項４に記載の考案）は、
内側ポールの一端の目盛りを最小限縮んだ状態の旗掲揚ポール長Ｌｍｉｎの目盛りを付し、最大限引き出した状態の長を旗掲揚ポール長をＬｍａｘとし、最大目盛りがＬｍａｘとなるように、目盛りを付し、旗掲揚ポール長Ｌを読み取ることができることを特徴とする請求項３に記載された旗掲揚ポールである。
○第５の考案（請求項５に記載の考案）
上記の課題を解決するための第５の考案（請求項５に記載の考案）は、
上記内側ポールの表面に、目盛りを印刷したシールを貼り付けて、目盛りを付すことを特徴とする請求項１〜４の何れかに記載された旗掲揚ポールである。
○第６の考案（請求項６に記載の考案）
上記の課題を解決するための第６の考案（請求項６に記載の考案）は、
上記内側ポールの表面に、目盛りを印刷して、目盛りを付すことを特徴とする請求項１〜４の何れかに記載された旗掲揚ポールである。
○第７の考案（請求項７に記載の考案）
上記の課題を解決するための第７の考案（請求項７に記載の考案）は、
上記内側ポールの表面に、目盛りを刻み込んで、目盛りを付すことを特徴とする請求項１〜４の何れかに記載された旗掲揚ポールである。
○第８の考案（請求項８に記載の考案）
上記の課題を解決するための第８の考案（請求項８に記載の考案）は、
上記シールは透明であることを特徴とする請求項１〜７の何れかに記載された旗掲揚ポールである。
○第９の考案（請求項９に記載の考案）
上記の課題を解決するための第９の考案（請求項９に記載の考案）は、
油性印刷又は焼付け印刷により、印刷することを特徴とする請求項１〜８の何れかに記載された旗掲揚ポールである。
○第１０の考案（請求項１０に記載の考案）
上記の課題を解決するための第１０の考案（請求項１０に記載の考案）は、
スケールにも転用することができる目盛りを付したことを特徴とする請求項１〜９の何れかに記載された旗掲揚ポールであある。
○第１１の考案（請求項１１に記載の考案）
上記の課題を解決するための第１１の考案（請求項１１に記載の考案）は、
外側ポールの端部に、ねじ式ストッパーを取り付けたことを特徴とする請求項１〜１０の何れかに記載された旗掲揚ポールである。
○第１２の考案（請求項１２に記載の考案）
上記の課題を解決するための第１２の考案（請求項１２に記載の考案）は、
上記内側ポールが外側ポールから抜き出しを防止するための抜き出し防止ストッパーが、外側ポール及び内側ポールに設けてあることを特徴とする請求項１〜１１の何れかに記載された旗掲揚ポール。
【考案の効果】
【００１５】
本考案に係る、旗掲揚ポールは、上記のような特徴的構成用件から構成され、特徴的構成用件に応じた、以下のような本願考案特有の効果を奏する。
【００１６】
また、上記のような特徴的構成用件から構成された旗掲揚ポールによれば、本願考案の課題を十分解消することができる。
○第１の考案の効果
第１の考案によれば、
上記の課題を解決するための第１の考案（請求項１に記載の考案）は、
内側ポールと外側ポールからなる旗掲揚ポールにおいて、外側ポールが中空パイプであり、内側ポールが外側ポール内をスライドすることによって伸縮自在となっていると共に、内側ポールの表面に目盛りを付し、外側ポールから引き出し長ΔＬを読み取ることができる旗掲揚ポールを提供するという、当業者が予測不可能な本願考案の第１課題を達成することができた。
【００１７】
さらに、ワンタッチで旗掲揚ポールの寸法を取り揃えることにより、旗掲揚の労力、費用がかからず、時間的ロスも少ない旗掲揚ポールを提供するという、当業者が予測不可能な本願考案の第２課題を達成することができた。
○第２の考案の効果
第２の考案によれば、内側ポールの一端の目盛りを０とし、内側ポールを最大引き出した状態で、最大引き出し長をΔＬｍａｘとし、最大目盛りがΔＬｍａｘとなるように、目盛りを付し、外側ポールから引き出し長ΔＬを読み取ることができるといる特徴的構成要件により、当業者が予測不可能な本願考案の第１課題、第２課題を達成するための具体的構成を提供することができた。
○第３の考案の効果
第３の考案によれば、内側ポールと外側ポールからなる旗掲揚ポールにおいて、外側ポールが中空パイプであり、内側ポールが外側ポール内をスライドすることによって伸縮自在となっていると共に、内側ポールの表面に目盛りを付し、旗掲揚ポール長Ｌを読み取ることができるという特徴的構成要件により、当業者が予測不可能な本願考案の第１課題、第２課題を達成するための具体的構成を提供することができた。
【００１８】
さらに、第３の考案の特徴的構成要件により、目盛りを読めば、旗掲揚ポールの実寸法Ｌを即座に知ることができるという当業者が予測不可能な顕著な効果を奏することができた。
○第４の考案の効果
第４の考案によれば、内側ポールの一端の目盛りを最小限縮んだ状態の旗掲揚ポール長Ｌｍｉｎの目盛りを付し、最大限引き出した状態の長を旗掲揚ポール長Ｌｍａｘとし、最大目盛りがＬｍａｘとなるように、目盛りを付し、内旗掲揚ポール長を読み取ることができるという特徴的構成要件により、当業者が予測不可能な本願考案の第１課題、第２課題を達成するための具体的構成を提供することができた。
○第５の考案の効果
第５の考案によれば、上記内側ポールの表面に、目盛りを印刷したシールを貼り付けて、目盛りを付すという特徴的構成要件により、［目盛りを付す］の実施態様の一つを管低下することができた。
○第６の考案の効果
第６の考案によれば、上記内側ポールの表面に、目盛りを印刷して、目盛りを付すという特徴的構成要件により、［目盛りを付す］の実施態様の一つを具現化することができた。
○第７の考案の効果
第７の考案によれば、上記内側ポールの表面に、目盛りを刻み込んで、目盛りを付すという特徴的構成要件により、［目盛りを付す］の実施態様の一つを具現化することができた。
○第８の考案の効果
第８の考案によれば、上記シールは透明であるという特徴的構成要件により、内側ポールの色は、例えば、白、緑、青であるが、上記シールを透明にして有るので、本願の旗掲揚ポールは、一見したところ目盛りを付したようには見えないという当業者が予測不可能な顕著な効果を奏することができた。
○第９の考案の効果
第９の考案によれば、上油性印刷又は焼付け印刷により、印刷するという特徴的構成要件により、［印刷する］の実施態様の一つをより具現化することができた。
○第１０の考案の効果
第１０の考案によれば、スケールにも転用することができる目盛りを付したという特徴的構成要件により、旗掲揚用意外にも使用できるという付加価値を有する旗掲揚ポールを提供するという本考案が解決しようとする、当業者が予測不可能な第３課題を達成することができた。
○第１１の考案の効果
第１１の考案によれば、外側ポールの端部に、ねじ式ストッパーを取り付けたという特徴的構成要件によりワンタッチで旗掲揚ポールの寸法を取り揃えることにより、旗掲揚の労力、費用がかからず、時間的ロスも少ない旗掲揚ポールを提供するという、当業者が予測不可能な第３課題を達成することができた。
○第１２の考案の効果
第１２の考案によれば、外側ポールの端部に、上記内側ポールが外側ポールから抜き出しを防止するための抜き出し防止ストッパーが、外側ポール及び内側ポールに設けてあることにより、内側ポールを最大引き出した状態で、抜き出し防止ストッパーにより、上記内側ポールが外側ポールから抜き出しを防止するという、当業者が予測不可能な第３課題を達成することができた。
＊＊＊＊＊＊＊＊＊＊＊＊＊＊＊＊＊＊＊＊＊＊＊＊＊＊＊＊＊＊＊＊＊＊＊
【考案を実施するための最良の形態】
【００１９】
以下、本考案に係る、内側ポールと外側ポールからなる旗掲揚ポールにおいて、外側ポールが中空パイプであり、内側ポールが外側ポール内をスライドすることによって伸縮自在となっていると共に、内側ポールの表面に目盛りを付したことを特徴とする旗掲揚ポールに関する好適な実施形態について、図面（図１〜図３）を参照しながら説明する。
【００２０】
［図１］
図１は、本考案に係る、旗掲揚ポールを示す図である。
【００２１】
図１（ａ）は、本考案に係る、内側ポールを最大限引き出した状態の旗掲揚ポールを示す正面図である。
【００２２】
図１（ｂ）は、本考案に係る、目盛を表す拡大正面図である。
【００２３】
［図２］
図２は、本考案に係る、旗掲揚ポールを示す伸縮状態を示す図である。
【００２４】
図２（ａ）は、内側ポールを最大限引き出した状態の旗掲揚ポールを示す一部断面図である。
【００２５】
図２（ｂ）は、本考案に係る、内側ポールを引き出した状態の旗掲揚ポールを示す一部断面図である。
【００２６】
図２（ｃ）は、本考案に係る、内側ポールを最小限に縮めた状態の旗掲揚ポールを示す一部断面図である。
【００２７】
［図３］
図３（ａ）は、実施態様１のスケール部を示す図である。
【００２８】
図３（ｂ）は、実施態様２のスケール部を示す図である。
【００２９】
［図４］
図４は、従来技術を示す図である。
＊＊＊＊＊＊＊＊＊＊＊＊＊＊＊＊＊＊＊＊＊＊＊＊＊＊＊＊＊＊＊＊＊＊＊
○実施態様１
実施態様１に係る旗掲揚ポール１００は、内側ポールＩＰと外側ポールＯＰからなり、外側ポールＯＰは中空パイプであり、外側ポールＯＰの内側を、内側ポールＩＰがスライドして伸縮自在となるように構成されている。
【００３０】
内側ポールＩＰは、長さ１５３０ｍｍ（キャップ部ｃａｐの長さＬｃａｐ＝２５ｍｍ）で直径が１８ｍｍの鋼管が例示され、外側ポールＯＰは、長さ１５２０ｍｍで直径が２０ｍｍの鋼管が例示される。
【００３１】
旗掲揚ポール１００が最小に縮んだ状態の長さＬｍｉｎは、１６００ｍｍであり、旗掲揚ポール１００が最大に伸びた状態の長さＬｍａｘは、３０００ｍｍである（最大引き出し長ΔＬｍａｘ＝３０００−１４００＝１４００ｍｍ）。
【００３２】
そして、内側ポールＩＰと外側ポールＯＰからなる伸縮自在の旗掲揚ポール１００において、内側ポールＩＰの表面に目盛りＭを付し、外側ポールから引き出し長ΔＬを読み取ることができる。
【００３３】
内側ポールＩＰが最小限に縮んだ状態の最小引き出し長をΔＬｍｉｎ（＝０ｍｍ）とし、内側ポールＩＰの最小目盛を内側ポールＩＰの一端の目盛ΔＬｍｉｎ（＝０ｍｍ）になるように、０の目盛りを付し、
内側ポールＩＰを最大引き出した状態で、最大引き出し長をΔＬｍａｘ（＝３０００−１６００＝１４００ｍｍ）とし、最大目盛がΔＬｍａｘ（＝１４００）となるように、１４００の目盛りを付し、外側ポールから引き出し長ΔＬを読み取ることができる。
【００３４】
なお、目盛りＭを付した部分であるスケール部ＳＣＢを、図1、図2、図3に示す。
○実施態様２
実施態様２に記載されていない事項は、実施態様１に記載されている事項と同じとする。  
【００３５】
実施態様２に係る旗掲揚ポール１００は、内側ポールＩＰと外側ポールＯＰからなり、外側ポールＯＰは中空パイプであり、外側ポールＯＰの内側を、内側ポールＩＰがスライドして伸縮自在となるように構成されている。
【００３６】
そして、内側ポールＩＰと外側ポールＯＰからなる伸縮自在の旗掲揚ポール１００においての内側ポールＩＰの表面に目盛りＭを付し、旗掲揚ポール長Ｌを読み取ることができる。
【００３７】
内側ポールＩＰの一端の目盛を最小限縮んだ状態の旗掲揚ポール長Ｌｍｉｎ（＝１６００ｍｍ）１６００の目盛を付し、最大限引き出した状態の旗掲揚ポール長Ｌｍａｘ（＝３０００ｍｍ）とし、最大目盛がΔＬｍａｘ（＝３０００ｍｍ）となるように、３０００の目盛りを付し、中間段階の内旗掲揚ポール長Ｌを読み取ることができる。
【００３８】
なお、目盛りＭを付した部分であるスケール部ＳＣＢを、図1、図2、図3に示す。
○実施態様１及び実施態様２
以下に期際されて事項は、実施態様１及び実施態様２の両方に共通する事項である。
【００３９】
目盛りＭを付した部分であるスケール部ＳＣＢを、図1、図2、図3に示す。
【００４０】
上記内側ポールＩＰの表面に、目盛りＭを印刷したシールを貼り付けて、目盛りＭを付している。
【００４１】
上記内側ポールＩＰの表面に、目盛りＭを印刷して、目盛りＭを付している。
【００４２】
上記内側ポールＩＰの表面に、目盛りＭを刻み込んで、目盛りＭを付している。
【００４３】
上記において用いられるシール（特に、図示せず。）は透明である。
【００４４】
上記に用いられる印刷方法は、油性印刷又は焼付け印刷により、印刷する。
【００４５】
外側ポールＯＰの端部には、ねじ式ストッパーＳＳＴを取り付けてある。
【００４６】
上記内側ポールＩＰが外側ポールＯＰから抜き出しを防止するための抜き出し防止ストッパー（図示せず。）が、外側ポールＯＰ及び内側ポールＩＰに設けてある。
○従来技術
従来技術の旗掲揚ポールは、本考案に係る、内側ポールＩＰと外側ポールＯＰを有さず、予め一定の長さの寸法に取り揃えられた旗掲揚ポール２００が存在しており（図４）、旗掲揚ポール長は各種様々であって、旗掲揚ポールは各種多様な品揃えがなされていた。
【図面の簡単な説明】
【００４７】
【図１】図１は、本考案に係る、旗掲揚ポールを示す図である。
【００４８】
図１（ａ）は、本考案に係る、内側ポールを最大限引き出した状態の旗掲揚ポールを示す正面図である。
【００４９】
図１（ｂ）は、本考案に係る、目盛を表す拡大正面図である。
【図２】図２は、本考案に係る、旗掲揚ポールを示す伸縮状態を示す図である。
【００５０】
図２（ａ）は、内側ポールを最大限引き出した状態の旗掲揚ポールを示す一部断面図である。
【００５１】
図２（ｂ）は、本考案に係る、内側ポールを引き出した状態の旗掲揚ポールを示す一部断面図である。
【００５２】
図２（ｃ）は、本考案に係る、内側ポールを最小限に縮めた状態の旗掲揚ポールを示す一部断面図である。
【図３】図３（ａ）は、実施態様１のスケール部を示す図である。
【００５３】
図３（ｂ）は、実施態様２のスケール部を示す図である。
【図４】図４は、従来技術を示す図である。
【符号の説明】
【００５４】
１００                旗掲揚ポール
２００                旗掲揚ポール（従来技術）
ＩＰ                  内側ポール
ＯＰ                  外側ポール
Ｍ                    目盛り
ＳＣ                  スケール
ＳＣＢ                スケール部
ＳＳＴ                ねじ式ストッパー
キャップ部            ｃａｐ
Ｌ０                  外側ポールの長さ（ｍｍ）
ΔＬｍｉｎ            最引き出し長（ｍｍ）＝０ｍｍ
ΔＬ                  引き出し長（ｍｍ）
ΔＬｍａｘ            最大引き出し長（ｍｍ）
Ｌｍｉｎ              最小限縮んだ状態の旗掲揚ポール長（ｍｍ）
Ｌｍａｘ              最大限引き出した状態の旗掲揚ポール長（ｍｍ）
Ｌ                    ある程度引き出した状態の旗掲揚ポール長（ｍｍ）
【図１】
0003142572.tif 000003
【図２】
0003142572.tif 000004
【図３】
0003142572.tif 000005
【図４】
0003142572.tif 000006